(57)【要約】【課題】左右一対の蓋部材と継合部材とからなる蓋体をケース体の上面の開口に被嵌することにより閉口することができると共に取り外すことにより開口することができ、一対の蓋部材は継合部材の左右両側にそれぞれ係止機構により起倒自在に枢着されているから、左右一対の蓋部材は継合部材に対する起立倒伏動作によりケース体の上方の開口を左右各別に開閉することができる。【解決手段】上面が開口したケース体１及びケース体の周壁１ａ上部に被嵌される蓋体２からなり、蓋体は左右一対の蓋部材３及び蓋部材とは別体に形成されてケース体の対向する周壁上部間に着脱機構Ｍにより着脱自在に取り付けられる継合部材４からなり、一対の蓋部材を継合部材の左右両側にそれぞれ起倒自在に枢着する係止機構Ｋを設けてなる。【選択図】図１
2011189975.tif 000002
【特許請求の範囲】
【請求項１】
上面が開口したケース体及びケース体の周壁上部に被嵌される蓋体からなり、上記蓋体は左右一対の蓋部材及び該蓋部材とは別体に形成されて上記ケース体の対向する周壁上部間に着脱機構により着脱自在に取り付けられる継合部材からなり、該一対の蓋部材を該継合部材の左右両側にそれぞれ起倒自在に枢着する係止機構を設けてなることを特徴とする整理ケース。
【請求項２】
上記係止機構として、上記各蓋部材の両側部に枢軸を形成すると共に上記継合部材の両側部に各蓋部材の枢軸が嵌挿される嵌挿穴が形成されていることを特徴とする請求項１記載の整理ケース。
【請求項３】
上記継合部材に係止穴が形成され、上記各蓋部材に該係止穴に嵌脱可能な嵌脱凸部が形成されていることを特徴とする請求項１又は２記載の整理ケース。
【請求項４】
上記嵌挿穴は上下に延びる長穴状に形成されていることを特徴とする請求項３記載の整理ケース。
【請求項５】
上記着脱機構として、上記継合部材の両側部に上記ケース体の周壁上部に載置可能な載置部を形成すると共に該ケース体の周壁に形成した係止部に係脱可能な係止爪部を形成してなることを特徴とする請求項１〜４のいずれか１項に記載のの整理ケース。
【発明の詳細な説明】
【技術分野】
【０００１】
本発明は例えば衣類、おもちゃ、工具類、ペット用品等の各種の生活用品を整理収納する際に用いられる整理ケースに関するものである。
【背景技術】
【０００２】
従来この種の整理ケースとして、上面が開口したケース体及びケース体の周壁上部に被嵌される蓋体からなり、上記蓋体は合成樹脂製にしてケース体の対向する周壁上部間に着脱機構により着脱自在に取り付けられる固定部及び固定部の左右両側に屈折自在なヒンジを介して起倒自在に一体に形成された左右一対の蓋部からなる構造のものが知られている。
【先行技術文献】
【特許文献】
【０００３】
【特許文献１】特開２００４−１４２７８７号公報
【発明の概要】
【発明が解決しようとする課題】
【０００４】
しかしながらこれら従来構造の場合、上記蓋体は上記固定部及び左右一対の蓋部によりヒンジを介して一体に形成された構造であり、このため、蓋体の上に他のケース体や収納物等を載せたときの蓋体の載荷強度を上げようとして固定部の形状を断面係数の大きな形状にしようとしても、固定部及び左右一対の蓋部は一体に形成されているから、固定部のみ剛性を上げたり、蓋部の材質に対して固定部の材質を変更することは樹脂成形の面で制約があり、又、各蓋部を個別に起立開口することはできても各蓋部を固定部から取り外してしてしまうことはできず、使用時の利便性において不都合なことがある。
【課題を解決するための手段】
【０００５】
本発明はこれらの不都合を解決することを目的とするもので、本発明のうちで、請求項１記載の発明は、上面が開口したケース体及びケース体の周壁上部に被嵌される蓋体からなり、上記蓋体は左右一対の蓋部材及び該蓋部材とは別体に形成されて上記ケース体の対向する周壁上部間に着脱機構により着脱自在に取り付けられる継合部材からなり、該一対の蓋部材を該継合部材の左右両側にそれぞれ起倒自在に枢着する係止機構を設けてなることを特徴とする整理ケースにある。
【０００６】
又、請求項２記載の発明は、上記係止機構として、上記各蓋部材の両側部に枢軸を形成すると共に上記継合部材の両側部に各蓋部材の枢軸が嵌挿される嵌挿穴が形成されていることを特徴とするものであり、又、請求項３記載の発明は、上記継合部材に係止穴が形成され、上記各蓋部材に該係止穴に嵌脱可能な嵌脱凸部が形成されていることを特徴とするものであり、又、請求項４記載の発明は、上記嵌挿穴は上下に延びる長穴状に形成されていることを特徴とするものであり、又、請求項５記載の発明は、上記着脱機構として、上記継合部材の両側部に上記ケース体の周壁上部に載置可能な載置部を形成すると共に該ケース体の周壁に形成した係止部に係脱可能な係止爪部を形成してなることを特徴とするものである。
【発明の効果】
【０００７】
本発明は上述の如く、請求項１記載の発明にあっては、左右一対の蓋部材と継合部材とからなる蓋体をケース体の上面の開口に被嵌することにより閉口することができると共に取り外すことにより開口することができ、かつ、継合部材はケース体の対向する周壁上部間に着脱機構により着脱自在に取り付けられているので、着脱機構によりケース体からの蓋体の不測の離脱を防ぐことができ、一対の蓋部材は継合部材の左右両側にそれぞれ係止機構により起倒自在に枢着されているから、左右一対の蓋部材は継合部材に対する起立倒伏動作によりケース体の上方の開口を左右各別に開閉することができ、必要に応じて、蓋部材を継合部材から取り外すこともでき、使用の利便性を高めることができ、さらに、左右一対の蓋部材と継合部材とは別体に形成されているので、継合部材の形状を容易に設計することができ、形状設計により継合部材の断面係数を容易に変化することができ、係合部材の剛性を上げることができ、これにより蓋体の載荷強度を容易に高めることができる。
【０００８】
又、請求項２記載の発明にあっては、上記係止機構として、上記各蓋部材の両側部に枢軸を形成すると共に上記継合部材の両側部に各蓋部材の枢軸が嵌挿される嵌挿穴が形成されているから、枢軸と嵌挿穴との嵌挿により各蓋部材の起倒動作を円滑に行うことができ、又、請求項３記載の発明にあっては、上記継合部材に係止穴が形成され、上記各蓋部材に係止穴に嵌脱可能な嵌脱凸部が形成されているから、蓋部材の起立時において嵌脱凸部が係止穴に嵌入して各蓋部材を起立状態に保持することができ、又、請求項４記載の発明にあっては、上記嵌挿穴は上下に延びる長穴状に形成されているから、蓋部材の起立時倒伏時において嵌脱凸部は係止穴に自重により嵌入して各蓋部材を確実に起立状態に保持することができると共に蓋部材を若干持ち上げたのち水平位置に倒伏することができ、蓋部材の起倒回動を円滑に行うことができ、又、請求項５記載の発明にあっては、上記着脱機構として、上記継合部材の両側部に上記ケース体の周壁上部に載置可能な載置部を形成すると共にケース体の周壁に形成した係止部に係脱可能な係止爪部を形成してなるから、載置部及び係止爪部により継合部材をケース体に確実に取り付けることができると共に容易に取り外すことができる。
【図面の簡単な説明】
【０００９】
【図１】本発明の実施の形態例の全体斜視図である。
【図２】本発明の実施の形態例の全体平面図である。
【図３】本発明の実施の形態例の分離斜視図である。
【図４】本発明の実施の形態例の分離斜視図である。
【図５】本発明の実施の形態例の部分断面図である。
【図６】本発明の実施の形態例の使用状態の全体斜視図である。
【図７】本発明の実施の形態例の蓋部材の起立状態の部分縦断面図である。
【図８】本発明の実施の形態例の使用状態の断面図である。
【図９】本発明の実施の形態例の部分分離斜視図である。
【図１０】本発明の実施の形態例の部分断面図である。
【発明を実施するための形態】
【００１０】
図１乃至図１０は本発明の実施の形態例を示し、１はケース体、２は蓋体であって、いずれも、合成樹脂により製作され、ケース体１は上面が開口した容器状に形成され、両外面に取っ手Ｎ・Ｎが設けられ、蓋体２はケース体１の周壁１ａ上部に被嵌可能に形成され、両外面に止め部Ｆ・Ｆが設けられている。
【００１１】
この蓋体２は左右一対の蓋部材３・３及び蓋部材３・３とは別体に形成されて上記ケース体１の対向する周壁１ａ上部間に着脱機構Ｍにより着脱自在に取り付けられる継合部材４からなり、この一対の蓋部材３・３を継合部材４の左右両側にそれぞれ起倒自在に枢着する係止機構Ｋを設けている。
【００１２】
この場合、上記係止機構Ｋとして、図７、図８の如く、上記各蓋部材３・３の両側部に枢軸３ａ・３ａを形成すると共に上記継合部材４の両側部に各蓋部材３・３の枢軸３ａ・３ａが嵌挿される嵌挿穴４ａ・４ａが形成されてなり、かつ、この場合、上記継合部材４に２個の係止穴４ｂ・４ｂが形成され、上記各蓋部材３・３に係止穴４ｂ・４ｂに嵌脱可能な嵌脱凸部３ｂ・３ｂが形成され、さらに、上記嵌挿穴４ａ・４ａは上下に延びる長穴状に形成されている。
【００１３】
又、この場合、上記着脱機構Ｍとして、図９、図１０の如く、上記継合部材４の両側部に上記ケース体１の周壁１ａ上部に載置可能な載置部４ｃ・４ｃを形成すると共にケース体１の周壁１ａに形成した係止部１ｂ・１ｂに可撓性部分４ｄ・４ｄにより弾性係脱可能な係止爪部４ｅ・４ｅを形成している。
【００１４】
この実施の形態例は上記構成であるから、図１、図３の如く、左右一対の蓋部材３・３と継合部材４とからなる蓋体２をケース体１の上面の開口に被嵌することにより閉口することができると共に取り外すことにより開口することができ、かつ、継合部材２はケース体１の対向する周壁１ａ上部間に着脱機構Ｍにより着脱自在に取り付けられているので、着脱機構Ｍによりケース体１からの蓋体２の不測の離脱を防ぐことができ、一対の蓋部材３・３は継合部材４の左右両側にそれぞれ係止機構Ｋにより起倒自在に枢着されているから、左右一対の蓋部材３・３は継合部材４に対する起立倒伏動作によりケース体１の上方の開口を左右各別に開閉することができ、必要に応じて、蓋部材３・３を継合部材から取り外すこともでき、使用の利便性を高めることができ、さらに、図４の如く、左右一対の蓋部材３・３と継合部材４とは別体に形成されているので、継合部材４の形状を容易に設計することができ、形状設計により継合部材４の断面係数を容易に変化することができ、係合部材４の剛性を上げることができ、これにより蓋体の載荷強度を容易に高めることができ、必要に応じて、継合部材４の材質を蓋部材３・３の材質と異なる強度の高い材質に変更することもできる。
【００１５】
この場合、上記係止機構Ｋとして、上記各蓋部材３・３の両側部に枢軸３ａ・３ａを形成すると共に上記継合部材４の両側部に各蓋部材３・３の枢軸３ａ・３ａが嵌挿される嵌挿穴４ａが形成されているから、枢軸３ａ・３ａと嵌挿穴４ａとの嵌挿により各蓋部材３・３の起倒動作を円滑に行うことができ、又、この場合、上記継合部材４に係止穴４ｂが形成され、上記各蓋部材３・３に係止穴に嵌脱可能な嵌脱凸部３ｂ・３ｂが形成されているから、図６、図８の如く、蓋部材３の起立時において嵌脱凸部３ｂ・３ｂが係止穴４ｂに嵌入して各蓋部材３・３を起立状態に保持することができ、又、この場合、上記嵌挿穴は上下に延びる長穴状に形成されているから、蓋部材３の起立時倒伏時において嵌脱凸部３ｂ・３ｂは係止穴４ｂに自重により嵌入して各蓋部材３・３を確実に起立状態に保持することができると共に蓋部材３を若干持ち上げたのち水平位置に倒伏することができ、蓋部材３の起倒回動を円滑に行うことができ、この場合、上記着脱機構Ｍとして、上記継合部材４の両側部に上記ケース体１の周壁１ａ上部に載置可能な載置部４ｃを形成すると共にケース体１の周壁１ａに形成した係止部１ｂに係脱可能な係止爪部４ｅを形成してなるから、載置部４ｃ及び係止爪部４ｅにより継合部材４をケース体１に確実に取り付けることができると共に容易に取り外すことができる。
【００１６】
尚、本発明は上記実施の形態例に限られるものではなく、例えば、ケース体１、蓋体２の形状、蓋部材３及び継合部材４の形状、着脱機構Ｍ、係止機構Ｋの構造等は適宜選択して設計される。
【００１７】
以上、所期の目的を充分達成することができる。
【符号の説明】
【００１８】
Ｍ    着脱機構
Ｋ    係止機構
１    ケース体
１ａ    周壁
１ｂ    係止部
２    蓋体
３    蓋部材
３ａ    枢軸
３ｂ    嵌脱凸部
４    継合部材
４ａ    嵌挿穴
４ｂ    係止穴
４ｃ    載置部
４ｅ    係止爪部
【図１】
2011189975.tif 000003
【図２】
2011189975.tif 000004
【図３】
2011189975.tif 000005
【図４】
2011189975.tif 000006
【図５】
2011189975.tif 000007
【図６】
2011189975.tif 000008
【図７】
2011189975.tif 000009
【図８】
2011189975.tif 000010
【図９】
2011189975.tif 000011
【図１０】
2011189975.tif 000012